(57)【要約】【課題】  素早い入力が可能な通信端末、通信端末の入力方法、および通信端末の入力用プログラムを提供する。【解決手段】  本発明は、電子メールを送受信する通信部と、受信した電子メールや作成中の電子メールを表示する表示器と、入力用のタッチパネル及び複数のキーとを備える通信端末であって、電子メールの返事として利用する複数の内容のそれぞれに対応した複数の文例を記憶する記憶手段と、前記複数の内容のうちひとつの内容に対応したシンボルをユーザがタッチパネルに入力すると、そのひとつの内容に対応した文例を複数表示する表示制御手段と、表示された複数の文例のうちユーザが選択した１つの文例を入力文として設定する設定手段とを備える。【選択図】      図１
2010026989.tif 000002
【特許請求の範囲】
【請求項１】
電子メールを送受信する通信部と、受信した電子メールや作成中の電子メールを表示する表示器と、入力用のタッチパネル及び複数のキーとを備える通信端末であって、
電子メールの返事として利用する複数の内容のそれぞれに対応した複数の文例を記憶する記憶手段と、
前記複数の内容のうちひとつの内容に対応したシンボルをユーザがタッチパネルに入力すると、そのひとつの内容に対応した文例を複数表示する表示制御手段と、
表示された複数の文例のうちユーザが選択した１つの文例を入力文として設定する設定手段と
を備えることを特徴とする通信端末。
【請求項２】
前記表示制御手段は、前記記憶手段に記憶されている文例の頭文字も前記シンボルとみなして動作する
ことを特徴とする請求項１に記載の通信端末。
【請求項３】
前記ユーザの選択は、前記タッチパネルへ表示した文例をタップする選択、または、文例の番号をキー入力する選択、あるいは、文例の頭文字をタッチパネルへ入力する選択の何れかであることを特徴とする請求項1または２に記載の通信端末。
【請求項４】
前記返事の内容は、少なくとも肯定、否定、疑問の内容である
ことを特徴とする請求項１乃至３の何れかに記載の通信端末。
【請求項５】
前記肯定、否定、疑問に対応したシンボルは、それぞれ○、×、？である
ことを特徴とする請求項４に記載の通信端末。
【請求項６】
前記電子メールは、ショートメッセージサービス、または、インスタントメッセージングで送受信される文書を含む
こと特徴とする請求項１乃至５の何れかに記載の通信端末。
【請求項７】
前記複数の文例は、一画面に表示できる数に設定されている
ことを特徴とする請求項１乃至６の何れかに記載の通信端末。
【請求項８】
電子メールを送受信する通信部と、受信した電子メールや作成中の電子メールを表示する表示器と、入力用のタッチパネル及び複数のキーとを備える通信端末の入力方法であって、
電子メールの返事として利用する複数の内容のそれぞれに対応した複数の文例を記憶する文例記憶ステップと、
前記複数の内容のうちひとつの内容に対応したシンボルをユーザがタッチパネルに入力すると、そのひとつの内容に対応した文例を複数表示する文例表示ステップと、
表示された複数の文例のうちユーザが選択した１つの文例を入力文として設定する文例設定ステップと
を備えることを特徴とする通信端末の入力方法。
【請求項９】
前記文例表示ステップは、前記文例記憶ステップに記憶されている文例の頭文字も前記シンボルとみなして動作する
ことを特徴とする請求項８に記載の通信端末の入力方法。
【請求項１０】
電子メールを送受信する通信部と、受信した電子メールや作成中の電子メールを表示する表示器と、入力用のタッチパネル及び複数のキーとを備える通信端末の入力用プログラムであって、
電子メールの返事として利用する複数の内容のそれぞれに対応した複数の文例を記憶する文例記憶機能と、
前記複数の内容のうちひとつの内容に対応したシンボルをユーザがタッチパネルに入力すると、そのひとつの内容に対応した文例を複数表示する文例表示機能と、
表示された複数の文例のうちユーザが選択した１つの文例を入力文として設定する文例設定機能とを
コンピュータに実現させることを特徴とする通信端末の入力用プログラム。
【請求項１１】
前記文例表示機能は、前記文例記憶機能に記憶されている文例の頭文字も前記シンボルとみなして動作する
ことを特徴とする請求項１０に記載の通信端末の入力用プログラム。
【発明の詳細な説明】
【技術分野】
【０００１】
この発明は、タッチパネルを有する通信端末、通信端末の入力方法、および通信端末の入力用プログラムに関する。
【背景技術】
【０００２】
携帯電話は、例えば、特開２００２−３１８６５５号公報（特許文献１）に記載されたものがある。この公報には、母音を入力するキーと、子音を入力するキーとを備え、これらキーによりローマ字入力を可能にする携帯電話が開示されている。また、この公報には、その表示装置として、タッチパネルを備える構成も示唆されている。
【０００３】
また、手話の使用者と非使用者間のリアルタイムの会話を可能とする携帯電話は、特開２００５−１９７８８９号公報（特許文献２）に記載されている。この公報に記載の携帯電話は、カメラで撮影される手話動作を、音声もしくは文字情報に変換し、送信部より送信する。これにより、手話の使用者と非使用者間でリアルタイムに会話を可能にできる携帯電話を実現する。
【０００４】
また、特開平１０−１０５３２５号公報（特許文献３）には、手書き入力管理装置が記載されている。この公報に記載の装置は、手書きの入力部を利用して、装置に対する機能を実行させるためのコマンド（ゼスチャー）を容易に登録、変更、削除できる装置である。
【０００５】
【特許文献１】特開２００２−３１８６５５号公報
【特許文献２】特開２００５−１９７８８９号公報
【特許文献３】特開平１０−１０５３２５号公報
【発明の開示】
【発明が解決しようとする課題】
【０００６】
上記の特許文献１に記載の携帯電話は、ローマ字入力を採用することにより、キー入力の速度を向上させることができる。しかし、電子メールの返信文を入力するような、即時性を求める場合においては、更なる速度向上が求められるため、複数のキーを押下するこのローマ字入力式の携帯電話では、対応できない。また、この引用文献１では、タッチパネルを備える構成を示唆しているが、このタッチパネルを利用して入力速度を向上させる技術に関する記載はない。
【０００７】
また、特許文献２に記載の携帯電話は、タッチパネルを備えるものではなく、しかも、文字の入力速度を向上させるものでもない。
【０００８】
更に、特許文献３に記載の手書き入力管理装置は、機能を実行させるためのコマンドを、手書きの入力部に書き込むことによって、容易に登録、変更、削除できる装置であって、手書きの入力部を、文字入力の速度向上に利用する技術ではない。
【０００９】
本発明の目的は、上記課題を解決し、素早い入力が可能な通信端末、通信端末の入力方法、および通信端末の入力用プログラムを提供することにある。
【課題を解決するための手段】
【００１０】
本発明は上記課題を解決するためのものであって、本発明の通信端末は、
電子メールを送受信する通信部と、受信した電子メールや作成中の電子メールを表示する表示器と、入力用のタッチパネル及び複数のキーとを備える通信端末であって、
電子メールの返事として利用する複数の内容のそれぞれに対応した複数の文例を記憶する記憶手段と、
前記複数の内容のうちひとつの内容に対応したシンボルをユーザがタッチパネルに入力すると、そのひとつの内容に対応した文例を複数表示する表示制御手段と、
表示された複数の文例のうちユーザが選択した１つの文例を入力文として設定する設定手段とを備えるものである。
【００１１】
また、本発明の通信端末の入力方法は、
電子メールを送受信する通信部と、受信した電子メールや作成中の電子メールを表示する表示器と、入力用のタッチパネル及び複数のキーとを備える通信端末の入力方法であって、
電子メールの返事として利用する複数の内容のそれぞれに対応した複数の文例を記憶する文例記憶ステップと、
前記複数の内容のうちひとつの内容に対応したシンボルをユーザがタッチパネルに入力すると、そのひとつの内容に対応した文例を複数表示する文例表示ステップと、
表示された複数の文例のうちユーザが選択した１つの文例を入力文として設定する文例設定ステップとを備えるものである。
【００１２】
更に、本発明の通信端末の入力用プログラムは、
電子メールを送受信する通信部と、受信した電子メールや作成中の電子メールを表示する表示器と、入力用のタッチパネル及び複数のキーとを備える通信端末の入力用プログラムであって、
電子メールの返事として利用する複数の内容のそれぞれに対応した複数の文例を記憶する文例記憶機能と、
前記複数の内容のうちひとつの内容に対応したシンボルをユーザがタッチパネルに入力すると、そのひとつの内容に対応した文例を複数表示する文例表示機能と、
表示された複数の文例のうちユーザが選択した１つの文例を入力文として設定する文例設定機能とをコンピュータに実現させるものである。
【発明の効果】
【００１３】
このように構成された本発明によれば、次に記載するような効果を奏する。
【００１４】
本発明によれば、ユーザがタッチパネルにシンボルを描いて入力すると、予め用意されている文例が表示され、この表示された文例をユーザが選択すると選択された文例が入力される。シンボルの入力は簡単且つ短時間で行うことができ、更に、文例の入力も表示された文例を選択することで入力できるので、ユーザは入力を素早く行うことができる。
【発明を実施するための最良の形態】
【００１５】
本発明の第１実施形態について、図1乃至図５に基づき説明する。
【００１６】
図１は、本発明の第1実施形態における通信端末の構成を示す概略構成図である。この図1に示す通信端末１０１は、持ち運ばれて使用される携帯型のパソコン（パーソナルコンピュータ）である。この通信端末１０１は、通信部１０２と表示器１０３とキー１０４とを備える。通信部１０２は、有線又は無線により電子メールを送受信できる。表示器１０３は受信した電子メールや作成中の電子メールを表示する。また、この表示器１０３は、タッチパネルが使用されており、タッチによる入力も可能である。キー１０４は、入力用の複数のキーである。
【００１７】
更に、この通信端末１０１は、記憶手段１０５と表示制御手段１０６と設定手段１０７とを備える。
【００１８】
記憶手段１０５は、電子メールの返事として利用できる複数の内容のそれぞれに対応した複数の文例を記憶する。また、表示制御手段１０６は、複数の内容のうちひとつの内容に対応したシンボルをユーザがタッチパネル（表示器１０３）に入力すると、そのひとつの内容に対応した文例を複数表示する。更に、設定手段１０７は、表示された複数の文例のうちユーザがタップにより選択した１つの文例を入力文として設定する。
【００１９】
ここで、タップとは、指先やスタイラスペンで、タッチパネルを単発的に１回押圧する操作であり、タッチパネルを1回軽く叩くような操作でもある。また、シンボルとは、感情や動作を示すもので、肯定を意味する「○」や、否定を意味する「×」や、疑問を意味する「？」である。
【００２０】
尚、表示制御手段１０６や設定手段１０７は、ＣＰＵ（Central Processing Unit）やその他半導体部品を利用して構成されている。また、通信端末１０１は、表示制御手段１０６、設定手段１０７、記憶手段１０５、表示器１０３等、全体を制御する制御装置を備えているが、図示は省略する。
【００２１】
図２は、同通信端末の画面遷移を示す説明図である。返信メール（電子メール）編集中の画面において、ユーザがタッチパネルに指先やスタイラスペンで「○」を入力すると（画面２０１）、画面２０２が表示される。この画面２０２は、「○」、即ち肯定の内容の返事である「はい、わかりました」、「了解しました」、「ＹＥＳ」の文例が、記憶手段１０５から読み出されて表示される（画面２０２）。この画面２０２が表示されているときに、ユーザが「２」をタップすると、このタップされた文例、「了解しました」が選択されたと設定手段１０７が判別し、この選択された文例を、編集中の電子メールに入力する（画面２０３）。
【００２２】
肯定を意味するシンボル「○」に対応した文例は、上述のようなものがあるが、否定を意味するシンボル「×」や、疑問を意味するシンボル「？」に対応した文例も、記憶手段１０５に記憶されている。
【００２３】
図３は、同通信端末において、「×」を入力した際に表示される画面の説明図である。図４は、同通信端末において、「？」を入力した際に表示される画面の説明図である。
【００２４】
図３に示すように、返信メール編集中にタッチパネル（表示器１０３）に「×」をユーザが入力すると、画面３０１が表示される。この画面３０１には、「×」、即ち否定の内容の返事である「いいえ」、「だめ」、「ＮＯ」の文例が表示される。
【００２５】
また、図４に示すように、返信メール編集中にタッチパネル（表示器１０３）にシンボル「？」をユーザが入力すると、画面４０１が表示される。この画面４０１には、「？」、即ち疑問の内容の返事である「うそでしょ？」、「どうしようかな？」、「保留します。」の文例が表示される。
【００２６】
このような通信端末１０１の電子メール編集中の入力動作について、主に図５に基づき説明する。尚、図５は、同通信端末の動作を示すフローチャートである。
【００２７】
最初に、図示しない制御装置が返信メール作成中か否かを判別する（ステップ５０１、以下「ステップ」を「Ｓ」と記す）。電子メール作成中であれば、表示制御手段１０６は、Ｓ５０２で、タッチパネル（表示器１０３）にシンボルが入力されたか否かを検出する。ユーザがシンボルを入力していれば（Ｓ５０２でＹＥＳ）、表示制御手段１０６は、Ｓ５０３で、その入力が「○」か、否かを判別する。入力が「○」であれば（Ｓ５０３でＹＥＳ、画面２０１）、表示制御手段１０６は、Ｓ５０４で、この「○」に対応した文例を、記憶手段１０５から読み出して画面に表示させる（画面２０２）。
【００２８】
タッチパネル（表示器１０３）に、「○」に対応した文例が表示されている状態において（画面２０２）、設定手段１０７は、Ｓ５０５で文例のひとつがユーザにタップされたか否かを判別する。文例のひとつがユーザにタップされると（Ｓ５０５でＹＥＳ）、設定手段１０７は選択された文例を、つまりタップされた文例を、入力文として設定し、Ｓ５０８で作成中の電子メールに入力する（例えば、画面２０３）。そして、制御装置は、Ｓ５１０で終了か否かを判別し、終了でなければ（Ｓ５１０でＮＯ）、制御がＳ５０１に移行する。
【００２９】
Ｓ５０３で、入力が「○」でない場合（Ｓ５０３でＮＯ）、表示制御手段１０６は、次にＳ５０６で、入力が「×」か否かを判別する。入力が「×」であれば（Ｓ５０６でＹＥＳ）、表示制御手段１０６は、Ｓ５０７で、この「×」に対応した文例を画面に表示させる（画面３０１）。そして、表示後は、その制御がＳ５０５に移行する。
【００３０】
Ｓ５０６で、入力が「×」でない場合（Ｓ５０６でＮＯ）、表示制御手段１０６は、Ｓ５０９で、「？」に対応した文例を画面に表示する（画面４０１）。そして、表示後は、その制御がＳ５０５に移行する。
【００３１】
このように動作する通信端末１０１は、電子メールを送受信できる通信部１０２と、受信した電子メールや作成中の電子メールを表示する表示器１０３と、入力用のタッチパネル（表示器１０３）や複数のキー１０４とを備える通信端末１０１の入力方法を採用している。更に、この通信端末１０１の入力方法は、文例記憶ステップと文例表示ステップと文例設定ステップとを備える。文例記憶ステップは、電子メールの返事として利用できる複数の内容（例えば、肯定、否定、疑問）のそれぞれに対応した複数の文例を記憶する。また、文例表示ステップは、複数の内容のうちひとつの内容に対応したシンボル（○、×、？）をユーザがタッチパネルに入力すると、そのひとつの内容に対応した文例を複数表示する。更に、文例設定ステップは、表示された複数の文例のうちユーザが選択（タップにより選択）した１つの文例を入力文として設定する。
【００３２】
また、このように動作する通信端末１０１は、電子メールを送受信できる通信部１０２と、受信した電子メールや作成中の電子メールを表示する表示器１０３と、入力用のタッチパネル（表示器１０３）や複数のキー１０４とを備える通信端末の入力用プログラムを採用している。この通信端末の入力用のプログラムは、文例記憶機能と文例表示機能と文例設定機能とをコンピュータに実現させるプログラムである。そして、文例記憶機能は、電子メールの返事として利用できる複数の内容（肯定、否定、疑問）のそれぞれに対応した複数の文例を記憶する。また、文例表示機能は、複数の内容のうちひとつの内容に対応したシンボル（○、×、？）をユーザがタッチパネル（表示器１０３）に入力すると、そのひとつの内容に対応した文例を複数表示する。更に、文例設定機能は、表示された複数の文例のうちユーザが選択した１つの文例を入力文として設定する。
【００３３】
このように、本発明によれば、ユーザがタッチパネル（表示器１０３）にシンボルを描いて入力すると、予め用意されている文例が表示され、この表示された文例をユーザが選択すると選択された文例が入力される。シンボルの入力は簡単且つ短時間で行うことができ、更に、文例の入力も表示された文例を選択することで入力できるので、入力を素早く行うことができる。
【００３４】
このため、返信用の電子メールの作成など、即時性を求められるような場合のときに、特に有効である。
【００３５】
電子メールを、この実施形態では、通信端末であるパソコンで送受信できる電子メールであると説明したが、通信端末である携帯電話やＰＨＳ（Personal Handy-phone System）で送受信できる電子メールとすることもできる。また、この明細書では、この電子メールの意味を、ショートメッセージサービス（SMS、Short Message Service）を利用した携帯通信端末同士で送受信できるメールや、メッセンジャーやインスタントメッセージング（IM, instant messaging）と呼ばれているサービスを利用してパソコン上で送受信できるメールを含むものとして使用している。
【００３６】
次に、第２実施形態について説明する。
【００３７】
図６は、本発明の第２実施形態における通信端末の構成を示す概略構成図である。
【００３８】
この図６に示す通信端末６０１は、携帯型の電話（携帯電話やＰＨＳ）であり、特に、スライド式携帯と呼ばれている筐体を備える。この通信端末６０１は、無線式の通信部６０２と、表示器６０３と、入力用の複数のキー６０４とを備える。表示器６０３は、表示器１０３同様、タッチパネルが使用されている。
【００３９】
更に、この通信端末６０１は、記憶手段６０５と表示制御手段６０６と設定手段６０７とを備える。記憶手段６０５は複数の文例を記憶する。表示制御手段６０６は、複数の内容のうちひとつの内容に対応したシンボルをユーザがタッチパネル（表示器６０３）に入力すると、そのひとつの内容に対応した文例を複数表示する。また、この表示制御手段６０６は、記憶手段６０５に記憶された文例の頭文字も、そのシンボルのひとつとみなして、動作する。更に、設定手段６０７は、表示された複数の文例のうちユーザが選択した１つの文例を入力文として設定する。
【００４０】
ユーザの選択は、第1実施形態同様、タッチパネル（表示器６０３）へ表示した文例をタップする選択が可能であり、更に、文例の番号をキー６０４で入力する選択、あるいは、文例の頭文字をタッチパネル（表示器６０３）へ入力する選択が可能である。つまり、設定手段６０７は、タップ、またはキー６０４入力、あるいは頭文字のタッチパネル（表示器６０３）への入力で、ユーザの選択した文例を判別し、この選択された文例を入力文として設定する。
【００４１】
図７は、同通信端末の画面遷移を示す説明図である。返信メール編集中の画面を表示しているときに、ユーザがタッチパネルに指先やスタイラスペンで「○」を入力すると（画面７０１）、画面７０２が表示される。この画面７０２は、「○」、即ち肯定の内容の返事である「いいよ」、「うん、わかった」、「ＹＥＳ，ＯＫ」、「はい、了解しました」、「合点、承知」、「りょぉ〜かぃ」、「よっしゃよっしゃ」の文例が表示されている。この画面７０２が表示されているときに、ユーザが「２」をタップすると、または、「２」をキー６０４入力すると、あるいは、「う」（「うん、わかった」の頭文字）をタッチパネル（表示器６０３）に入力すると、文例のうち「うん、わかった」が選択されたと設定手段６０７が判別し、この選択された文例を、編集中の電子メールに入力する（画面７０３）。
【００４２】
肯定を意味するシンボル「○」に対応した文例は、上述のようなものがあるが、否定を意味するシンボル「×」や、疑問を意味するシンボル「？」に対応した文例も記憶手段６０５に記憶されている。更に、驚きを意味するシンボル「！」や、喜びを意味するシンボル「（図形の）ハート」や、相槌を意味する「〜」に対応した文例も記憶手段６０５に記憶されている。
【００４３】
図８は、同通信端末において、「×」を入力した際に表示される画面の説明図である。図９は、同通信端末において、「？」を入力した際に表示される画面の説明図である。図１０は、同通信端末において、「！」を入力した際に表示される画面の説明図である。図１１は、同通信端末において、「ハート」を入力した際に表示される画面の説明図である。図１２は、同通信端末において、「〜」を入力した際に表示される画面の説明図である。
【００４４】
図８に示すように、返信メール編集中にタッチパネル（表示器６０３）に「×」をユーザが入力すると（画面８０１）、画面８０２が表示される。この画面８０２は、「×」、即ち否定の内容の返事である「だめ」、「むり、ごめんね」、「ＮＯ， thank you！！」、「いいえ、お断りします」、「残念、無念」、「だぁ〜めだぁ〜」、「あかんがな」の文例が表示される。
【００４５】
また、図９に示すように、返信メール編集中にタッチパネル（表示器６０３）にシンボル「？」をユーザが入力すると（画面９０１）、画面９０２が表示される。この画面９０２は、「？」、即ち疑問、の内容の返事である「どうしようかな？」、「なにするの？」、「Ａｈａ？」、「保留させてください」、「善処します」、「むずかしそうだなー」、「難儀やな〜」の文例が表示される。
【００４６】
また、図１０に示すように、返信メール編集中にタッチパネル（表示器６０３）にシンボル「！」をユーザが入力すると（画面１００１）、画面１００２が表示される。この画面１００２は、「！」、即ち驚き、の内容の返事である「ほんとに！」、「すげーじゃん！」、「ＯＨ， my god！」、「なんてこった！」、「驚天動地！」、「うっそ〜やだぁ〜」、「ほんまかいな！」の文例が表示される。
【００４７】
また、図１１に示すように、返信メール編集中にタッチパネル（表示器６０３）にシンボル「ハート」をユーザが入力すると（画面１１０１）、画面１１０２が表示される。この画面１１０２は、「ハート」、即ち喜び、の内容の返事である「わ〜い」、「うれしいな〜」、「Thank you」、「有難うございます」、「感謝、感激」、「はっぴ〜♪」、「おおきにありがと」の文例が表示される。
【００４８】
また、図１２に示すように、返信メール編集中にタッチパネル（表示器６０３）にシンボル「〜」をユーザが入力する（画面１２０１）、画面１２０２が表示される。この画面１２０２は、「〜」、即ち相槌、の内容の返事である「ふんふん」、「へぇ」、「Ｆｕｕｕｕｍ」、「ははぁ」、「なるほど」、「それからそれから？」、「ほほう」の文例が表示される。
【００４９】
ここで、図７に示す画面７０２、図８に示す画面８０２、図９に示す画面９０２、図１０に示す画面１００２、図１１に示す画面１１０２、図１２に示す画面１２０２を見ると解るように、一画面に収まるようにその表示数が設定されている。このため、選択の際に、画面をスクロールしなくて済み、ユーザの手間をできるだけ省くように工夫されている。
【００５０】
このような通信端末６０１の電子メール編集中の入力について、主に図１３に基づき説明する。尚、図１３は、通信端末の動作を示すフローチャートである。
【００５１】
このフローチャートは、図５に示すフローチャートの動作ステップ全て（Ｓ５０１〜Ｓ５１０）を備えている。このため、図１３は、図５と同一の動作ステップには、同一のステップ番号Ｓ５０１〜Ｓ５１０を付している。
【００５２】
電子メール作成中で（Ｓ５０１でＹＥＳ）、タッチパネル（表示器６０３）にシンボルが入力されると（Ｓ５０２でＹＥＳ）、表示制御手段６０６は、Ｓ５０３で、その入力が「○」か、否かを判別する。入力が「○」であれば（Ｓ５０３でＹＥＳ、画面７０１）、表示制御手段６０６は、Ｓ５０４で、この「○」に対応した文例を記憶手段６０５から読み出して、表示器６０３に表示させる（画面７０２）。タッチパネル（表示器６０３）に、「○」に対応した文例が表示されている状態（画面７０２）で、設定手段６０７は、Ｓ５０５で文例のひとつがユーザに選択されたか否かを判別する。ユーザの選択は、前述のように、文例をタップする選択や、文例の番号をキー６０４で入力する選択や、文例の頭文字をタッチパネル（表示器６０３）へ入力する選択が可能である。
【００５３】
文例のひとつがユーザに選択されると（Ｓ５０５でＹＥＳ）、設定手段６０７は選択された文例を、入力文として設定し、Ｓ５０８で作成中の電子メールに入力する（例えば、画面７０３）。そして制御がＳ５１０に移行する。
【００５４】
Ｓ５０３で、入力が「○」でない場合（Ｓ５０３でＮＯ）、表示制御手段６０６は、次にＳ５０６で、入力が「×」か否かを判別する。入力が「×」であれば（Ｓ５０６でＹＥＳ、画面８０１）、表示制御手段６０６は、Ｓ５０７で、この「×」に対応した文例を表示器６０３に表示させる（画面８０２）。そして、表示後は、その制御がＳ５０５に移行する。
【００５５】
Ｓ５０６で、入力が「×」でない場合（Ｓ５０６でＮＯ）、表示制御手段６０６は、次にＳ５１１で、入力が「？」か否かを判別する。入力が「？」であれば（Ｓ５１１でＹＥＳ、画面９０１）、表示制御手段６０６は、Ｓ５０９で、この「？」に対応した文例を表示器６０３に表示させる（画面９０２）。そして、表示後は、その制御がＳ５０５に移行する。
【００５６】
Ｓ５１１で、入力が「？」でない場合（Ｓ５１１でＮＯ）、表示制御手段６０６は、次にＳ５１２で、入力が「！」か否かを判別する。入力が「！」であれば（Ｓ５１２でＹＥＳ、画面１００１）、表示制御手段６０６は、Ｓ５１３で、この「！」に対応した文例を表示器６０３に表示させる（画面１００２）。そして、表示後は、その制御がＳ５０５に移行する。
【００５７】
Ｓ５１２で、入力が「！」でない場合（Ｓ５１２でＮＯ）、表示制御手段６０６は、次にＳ５１４で、入力が「ハート」か否かを判別する。入力が「ハート」であれば（Ｓ５１４でＹＥＳ、画面１１０１）、表示制御手段６０６は、Ｓ５１５で、この「ハート」に対応した文例を表示器６０３に表示させる（画面１１０２）。そして、表示後は、その制御がＳ５０５に移行する。
【００５８】
Ｓ５１４で、入力が「ハート」でない場合（Ｓ５１４でＮＯ）、入力されたのは「〜」であるので（画面１２０１）、表示制御手段６０６は、次にＳ５１６で、この「〜」に対応した文例を表示器６０３に表示させる（画面１２０２）。そして、表示後は、その制御がＳ５０５に移行する。
【００５９】
このような通信端末６０１では、通信端末１０１同様、シンボルの入力は簡単且つ短時間で行うことができ、更に、文例の入力も表示された文例を選択することで入力できるので、入力を素早く行うことができる。
【００６０】
また、この第２実施形態では、ユーザの選択方法を、タップと、文例の頭文字の入力と、文例の番号をキー入力との３つ用意しているので、ユーザが使用しやすい入力方法を選択して使用することができ、更にユーザに使用しやすい通信端末６０１とすることができる。
【００６１】
次に、第３実施形態の通信端末について説明する。この第３実施形態は、返信メール作成中において、文例の頭文字が入力された場合の動作に特徴がある。この第３実施形態の通信端末のハードウェア構成は、第２実施形態の通信端末６０１とほぼ同一であるが、その動作が異なる。このため、図１４だけを使って説明する。尚、図１４は第３実施形態の通信端末における画面変遷を示す説明図である。
【００６２】
電子メール編集中において、ユーザにより頭文字「う」が入力されると（画面１４０２）、表示制御手段６０６は、「うん、わかった」、「うっそ〜やだぁ〜」、「うれしいな〜」を、記憶手段６０５から読み出して、表示器６０３に表示させる（画面１４０３）。また、表示制御手段６０６は、頭文字が「あ」であれば「あかんがな」、「有難うございます」を表示器６０３に表示させ、また、頭文字が「ほ」であれば、「ほんとに！」、「ほんまかいな！」、「ほほう」を表示器６０３に表示させる（図示せず）。
【００６３】
尚、頭文字の読みの一文字目をタッチパネルに入力する例で説明したが、濁音の場合、その清音も入力可能とするように、動作を設定することもできる。この場合、濁音の点々を付けなくて済むので、更に、入力速度を早くすることができる。この例として、頭文字として「さ」又は「ざ」が入力された場合、「残念、無念」が表示器６０３に表示され、「た」又は「だ」が入力された場合、「だめ」、「だぁ〜めだぁ〜」が表示器６０３に表示される例が挙げられる。
【００６４】
図１４に示す画面１４０１の状態において、ユーザが、「返信」を押下すると、返信メールの編集画面に画面が切り替わる。この電子メールの編集画面において、ユーザが、タッチパネル（表示器６０３）に「う」を入力すると（画面１４０２）、表示制御手段６０６が、「う」を頭文字とする文例を記憶手段６０５から読み出して表示器６０３に表示させる（画面１４０３）。ユーザが、表示された文例の中から、「１」の文例をタップする、または、タッチパネル（表示器６０３）にシンボル「○」を入力する、あるいは、「１」をキー入力すると、「１」の「うん、わかった」を選択したと設定手段６０７が判別し設定手段６０７が、この文例を返信メールに入力する（画面１４０４）。また、文例を表示した画面１４０３において、「２」の文例をタップする、または、タッチパネル（表示器６０３）にシンボル「！」を入力する、あるいは、「２」をキー入力すると、「２」の「うっそ〜やだぁ〜」を選択したと設定手段６０７が判別し、設定手段６０７がこの文例を返信メールに入力する（図示せず）。更に、文例を表示した画面１４０３において、ユーザが「３」の文例をタップする、または、ユーザがタッチパネル（表示器６０３）にシンボル「ハート」を入力する、あるいは、ユーザが「３」をキー入力すると、「３」の「うれしいな〜」を選択したと設定手段６０７が判別し、設定手段６０７がこの文例を返信メールに入力する（図示せず）。
【００６５】
このように、この第３実施形態の通信端末では、第１実施形態の通信端末の入力方法を採用しており、更に、前記文例記憶ステップに記憶されている文例の頭文字も前記シンボルとみなして動作する文例表示ステップを備える通信端末６０１の入力方法を採用している。
【００６６】
また、この通信端末６０１では、第１実施形態の通信端末の入力用プログラムを採用しており、更に、文例記憶機能に記憶されている文例の頭文字も前記シンボルとみなして動作する文例表示機能を備える通信端末６０１の入力用プログラムを採用している。
【００６７】
このように、ユーザは、一文字の頭文字を入力することにより、入力のための文例を表示させ、その中から文例を選択することができるので、ユーザは入力を素早く行うことができる。
【図面の簡単な説明】
【００６８】
【図１】本発明の第1実施形態における通信端末の構成を示す概略構成図である
【図２】同通信端末の画面遷移を示す説明図である。
【図３】同通信端末において、「×」を入力した際に表示される画面の説明図である。
【図４】同通信端末において、「？」を入力した際に表示される画面の説明図である。
【図５】同通信端末の動作を示すフローチャートである。
【図６】本発明の第２実施形態における通信端末の構成を示す概略構成図である。
【図７】同通信端末の画面遷移を示す説明図である。
【図８】同通信端末において、「×」を入力した際に表示される画面の説明図である。
【図９】同通信端末において、「？」を入力した際に表示される画面の説明図である。
【図１０】同通信端末において、「！」を入力した際に表示される画面の説明図である。
【図１１】同通信端末において、「ハート」を入力した際に表示される画面の説明図である。
【図１２】同通信端末において、「〜」を入力した際に表示される画面の説明図である。
【図１３】同通信端末の動作を示すフローチャートである。
【図１４】本発明の第３実施形態の通信端末における画面遷移を示す説明図である。
【符号の説明】
【００６９】
１０１    通信端末
１０２    通信部
１０３    表示器
１０４    キー
１０５    記憶手段
１０６    表示制御手段
１０７    設定手段
２０１    画面
２０２    画面
２０３    画面
３０１    画面
４０１    画面
６０１    通信端末
６０２    通信部
６０３    表示器
６０４    キー
６０５    記憶手段
６０６    表示制御手段
６０７    設定手段
７０１    画面
７０２    画面
７０３    画面
８０１    画面
８０２    画面
９０１    画面
９０２    画面
１００１    画面
１００２    画面
１１０１    画面
１１０２    画面
１２０１    画面
１２０２    画面
１４０１    画面
１４０２    画面
１４０３    画面
１４０４    画面
【図１】
2010026989.tif 000003
【図２】
2010026989.tif 000004
【図３】
2010026989.tif 000005
【図４】
2010026989.tif 000006
【図５】
2010026989.tif 000007
【図６】
2010026989.tif 000008
【図７】
2010026989.tif 000009
【図８】
2010026989.tif 000010
【図９】
2010026989.tif 000011
【図１０】
2010026989.tif 000012
【図１１】
2010026989.tif 000013
【図１２】
2010026989.tif 000014
【図１３】
2010026989.tif 000015
【図１４】
2010026989.tif 000016